(57)【要約】【課題】口径が大きく高さの高い花瓶にも、数本の花を茎を立てた状態で生けることができる花瓶用花支持具を提供するものである。【解決手段】上部円筒体２Ａと下部円筒体２Ｂを伸縮自在に組合せてストッパー１１で高さを調整した円筒状支持体２を立設し、この底部に底部支持板５を取付けると共に、円筒状支持体２の上部に、花瓶１４の口部１５に当接するように、プラスチックベルト８をうず巻き状に巻回して、その外径を調整できる保持部材３を設けたものである。【選択図】図４
2004147731.tif 000002
【特許請求の範囲】
【請求項１】
複数個の円筒体を伸縮自在に組合せた円筒状支持体を立設し、この底部に支持板を取付けると共に、円筒状支持体の上部に、花瓶の口部に当接するようにその外径を調整できる保持部材を設けたことを特徴とする花瓶用花支持具。
【請求項２】
円筒状支持体が下部円筒体と、この内側に挿着される上部円筒体とで伸縮自在に構成され、上部と下部の円筒状支持体の高さ方向に沿って所定の間隔で複数のストッパー孔を横方向に貫通し、ここに円筒状支持体の高さを調整するストッパーを取付けたことを特徴とする請求項１記載の花瓶用花支持具。
【請求項３】
保持部材が、円筒状支持体の上部に取付けられるリング状取付部と、これに接続され、外径を調整できるベルトとで形成されていることを特徴とする請求項１記載の花瓶用花支持具。
【発明の詳細な説明】
【０００１】
【発明の属する技術分野】
本発明は口径が大きく高さの高い花瓶に、少量の花を生けることができる花瓶用花支持具に関するものである。
【０００２】
【従来の技術】
一般に、数本の花を口径の小さな花瓶に生ける場合には、花の茎と花瓶の口部との間の隙間が小さいため、茎を立てた状態で花を生けることができる。しかしながら口径の大きな大型の花瓶に数本の生花を生けたり、花の重量が重い百合などを数本生ける場合には、花の茎と花瓶の口部との間の隙間が大きいため、茎が斜めに傾いてしまい、立てた状態で花を生けることができなかった。
【０００３】
【発明が解決しようとする課題】
本発明は上記問題を改善し、口径が大きく高さの高い花瓶にも、数本の花を茎を立てた状態で生けることができる花瓶用花支持具を提供するものである。
【０００４】
【課題を解決するための手段】
本発明の請求項１記載の花瓶用花支持具は、複数個の円筒体を伸縮自在に組合せた円筒状支持体を立設し、この底部に支持板を取付けると共に、円筒状支持体の上部に、花瓶の口部に当接するようにその外径を調整できる保持部材を設けたことを特徴とするものである。
【０００５】
本発明の請求項２記載の花瓶用花支持具は、円筒状支持体が下部円筒体と、この内側に挿着される上部円筒体とで伸縮自在に構成され、上部と下部の円筒状支持体の高さ方向に沿って所定の間隔で複数のストッパー孔を横方向に貫通し、ここに円筒状支持体の高さを調整するストッパーを取付けたことを特徴とするものである。
【０００６】
更に請求項３記載の花瓶用花支持具は、保持部材が、円筒状支持体の上部に取付けられるリング状取付部と、これに接続され、外径を調整できるベルトとで形成されていることを特徴とするものである。
【０００７】
【発明の実施の形態】
以下本発明の実施の一形態を図１ないし図４を参照して詳細に説明する。図において１は花瓶用花支持具を示すもので、これは図１に示すように上部円筒体２Ａと、下部円筒体２Ｂと、保持部材３とから構成されている。上部円筒体２Ａは、その対向する側面に高さ方向に沿って所定の間隔でストッパー孔４が開孔されている。
【０００８】
また下部円筒体２Ｂはその内径が上部円筒体２Ａの外径よりやや大きく形成され、その対向する側面に高さ方向に沿って所定の間隔でストッパー孔４が開孔されている。また下部円筒体２Ｂの下端には、中央部を開口した底部支持板５が水平に接続され、図２に示すように底部開孔部６が形成されている。
【０００９】
また前記保持部材３は、上部円筒体２Ａの上部に嵌合するリング状取付部７と、弾性を有する２本のプラスチックベルト８と、２個のベルト通し９とから構成され、プラスチックベルト８の一端はリング状取付部７の側面に対向して取付けられ、他端側はベルト通し９を通して渦巻状に巻回されている。１１は先端側が細くなったストッパーで、前記上部円筒体２Ａと下部円筒体２Ｂに開孔したストッパー孔４に挿着されるようになっている。
【００１０】
上記構成の花瓶用花支持具１は、底部支持板５を取付けた下部円筒体２Ｂの上部から上部円筒体２Ａを挿入して、内外のストッパー孔４、４が一致する所定の高さに調整してストッパー１１を貫通させて、この先端に抜け止めピンを取付けて円筒状支持体２を形成する。次に上部円筒体２Ａの上部に保持部材３のリング状取付部７を嵌めて固定する。この後、プラスチックベルト８、８をベルト通し９、９に通してうず巻き状に巻回し、その外径を図４に示す花瓶１４の口部１５の内径に合わせて調整する。
【００１１】
このようにして組み立てた花瓶用花支持具１を図４に示すように花瓶１４に挿着し、保持部材３にうず巻き状に取付けたプラスチックベルト８の外径を口部１５の内周に当接するように調整すると、花瓶用花支持具１は花瓶１４の底面と口部１５で支持される。この後、造花の百合の花１２の茎１３を花瓶用花支持具１の上部開孔部１０から挿入して生ける。茎１３は、ストッパー１１と上部円筒体２Ａの内周面との間で支持され、立った状態で花を生けることができる。
【００１２】
従って、造花の百合の花１２のように上部が重い花を、口部１５の口径が大きな花瓶１４に数本生けるような場合でも、内径の小さな円筒状支持体２に支持され、更に円筒状支持体２の上部は、保持部材３により花瓶１４の口部１５の内周で支えられているので、茎１３が立った状態で花を生けることができる。またうず巻き状に巻回したプラスチックベルト８の外径を調整することにより、種々の口径の花瓶１４に適用できると共に、円筒状支持体２の高さを調整することにより種々の高さの花瓶１４にも適用することができる。
【００１３】
また花瓶１４に水を入れて数本の生花を生ける場合でも、同様に花瓶用花支持具１で支持することができる。この場合、花瓶１４に水が入った状態で花瓶用花支持具１を引き上げても、花瓶用花支持具１の底部には底部開孔部６が開口されて、ここから水が抜けるので取扱も容易である。
【００１４】
図５は本発明の他の実施の形態を示すもので、先端側に複数個のパンチ孔１６を開孔し、基端側にバックル１７を取付けた首輪状のベルト１８を、リング状取付部７を囲むように配置して、この間を複数本の針金１９で連結した保持部材３を上部円筒体２Ａの上端に取付けたものである。
【００１５】
この保持部材３は、花瓶１４の口部１５の内径に合わせて、首輪状のベルト１６をバックル１７に通して、パンチ孔１６にピン２０を挿着して連結し、その外径を任意の大きさに調整できるようにしたものである。
【００１６】
図６は本発明の異なる他の実施の形態を示すもので、リング状取付部７の外周に所定の間隔で、湾曲した複数本の板バネ２１を突設した保持部材３である。これは、花瓶１４の口部１５に挿着するだけで、板バネ２１が口部１５の内周に当接してその弾性力により、花瓶用花支持具１を支持することができ、板バネ２１の湾曲した範囲内で、口部１５の口径に対応することができる。
【００１７】
なお上記説明では、上部円筒体２Ａと下部円筒体２Ｂを連結するためにストッパー１１を挿着したが、上部円筒体２Ａに９０度の間隔でストッパー孔４を高さ方向に所定の間隔で開孔し、ここに２個のストッパー１１を十字状に挿着して上部円筒体２Ａの内側を狭くし、ここに茎１３の底部を支持させることにより、茎１３の短い花を生けるようにした構造でも良い。また上部円筒体２Ａと下部円筒体２Ｂの連結構造はストッパー１１に限らず、下部円筒体２Ｂに取付けたねじで締め付けて連結する構造でも良い。
【００１８】
【発明の効果】
以上説明した如く本発明に係る請求項１記載の花瓶用花支持具によれば、円筒体を伸縮自在に組合せた円筒状支持体を立設し、この底部に支持板を取付けると共に、円筒状支持体の上部に、花瓶の口部に当接するようにその外径を調整できる保持部材を設けたので、口径が大きく高さの高い花瓶に、数本の花を茎を立てた状態で生けることができる。
【００１９】
また請求項２記載の花瓶用花支持具によれば、円筒状支持体が下部円筒体と、この内側に挿着される上部円筒体とで伸縮自在に構成され、上部と下部の円筒状支持体の高さ方向に沿って所定の間隔で複数のストッパー孔を横方向に貫通し、ここに円筒状支持体の高さを調整するストッパーを取付けたので、高さの調整が容易で、ストッパーと円筒状支持体の内周面との間で茎を支持することができる。
【００２０】
また請求項３記載の花瓶用花支持具によれば、保持部材が、円筒状支持体の上部に取付けられるリング状取付部と、これに接続され、外径を調整できるベルトとで形成されているので、花瓶の口部に口径に合わせてセットすることができる。
【図面の簡単な説明】
【図１】本発明の実施の一形態による花瓶用花支持具を分解して示す斜視図である。
【図２】図１の花瓶用花支持具を示す縦断面図である。
【図３】図１の保持部材を示す平面図である。
【図４】図１の花瓶用花支持具を使用して花瓶に花を生けた状態を示す断面図である。
【図５】本発明の他の実施の形態による花瓶用花支持具の上部を示す斜視図である。
【図６】本発明の異なる他の実施の形態による花瓶用花支持具の上部を示す斜視図である。
【符号の説明】
１        花瓶用花支持具
２        円筒状支持体
２Ａ    上部円筒体
２Ｂ    下部円筒体
３        保持部材
４        ストッパー孔
５        底部支持板
６        底部開孔部
７        リング状取付部
８        プラスチックベルト
９        ベルト通し
１０    上部開孔部
１１    ストッパー
１２    造花の百合の花
１３    茎
１４    花瓶
１５    口部
１６    パンチ孔
１７    バックル
１８    首輪状のベルト
１９    針金
２０    ピン
２１    板バネ
【図１】
2004147731.tif 000003
【図２】
2004147731.tif 000004
【図３】
2004147731.tif 000005
【図４】
2004147731.tif 000006
【図５】
2004147731.tif 000007
【図６】
2004147731.tif 000008